(57)【要約】【課題】残響音を放射するスピーカとして板状体を用いても、板状体が音源の位置として特定され難く、音場において自然な響きとなるような残響を得られるようにする。【解決手段】内部に空洞１１を有する板状に形成され、同一の平坦面をなすように、かつ、互いの振動が伝わらないように配された第一パネル４及び第二パネル５を有する板状体２と、第一パネル及び第二パネルにそれぞれ設けられ、第一パネルと第二パネルとを互いに逆位相の信号で板状体の板厚方向に振動させる二つの加振器３と、を備え、第一パネル及び第二パネルは、相対的に、第一パネル及び第二パネルのそれぞれから板厚方向に伝わる音同士が互いに干渉して弱められる位置に配されている残響支援装置１を提供する。【選択図】図１
2018146927.tif 000002
【特許請求の範囲】
【請求項１】
内部に空洞を有する板状に形成され、同一の平坦面をなすように、かつ、互いの振動が伝わらないように配された第一パネル及び第二パネルを有する板状体と、
前記第一パネル及び前記第二パネルにそれぞれ設けられ、前記第一パネルと前記第二パネルとを互いに逆位相の信号で前記板状体の板厚方向に振動させる二つの加振器と、を備え、
前記第一パネル及び前記第二パネルは、相対的に、前記第一パネル及び前記第二パネルのそれぞれから前記板厚方向に伝わる音同士が互いに干渉して弱められる位置に配されている残響支援装置。
【請求項２】
前記第一パネル及び前記第二パネルは、互いに間隔をあけて配される個別のパネルである請求項１に記載の残響支援装置。
【請求項３】
前記第一パネルと前記第二パネルとの隙間が、振動の伝達を防ぐ振動絶縁部材によって埋められている請求項２に記載の残響支援装置。
【請求項４】
前記第一パネル及び前記第二パネルが一つのパネルで構成され、
前記パネルのうち、前記第一パネルをなす第一領域と前記第二パネルをなす第二領域との境界に、前記第一領域と前記第二領域との間での振動の伝達を防ぐ振動絶縁部材が設けられる請求項１に記載の残響支援装置。
【請求項５】
前記板厚方向から見て、前記第一パネルと前記第二パネルとが、縦方向及び横方向に交互に配列されている請求項１から請求項４のいずれか一項に記載の残響支援装置。
【請求項６】
前記板厚方向から見て、前記第一パネルを囲むように複数の前記第二パネルが配されている請求項１から請求項４のいずれか一項に記載の残響支援装置。
【発明の詳細な説明】
【技術分野】
【０００１】
本発明は、残響支援装置に関する。
【背景技術】
【０００２】
音場における音響的フィードバックを行なう音響制御技術がある。この技術においては、例えば、音場における演奏者の演奏音（音信号）をマイクで集音し、音場における残響が考慮された残響音信号を生成し、残響音をスピーカから放射する残響支援装置がある（例えば特許文献１，２参照）。この種の残響支援装置では、残響音をスピーカから放射することで、音場内において自然な響きとなるような残響を得ることを図っている。
【先行技術文献】
【特許文献】
【０００３】
【特許文献１】特開平１０−６９２８０号公報
【特許文献２】特開２００１−２２８８６７号公報
【発明の概要】
【発明が解決しようとする課題】
【０００４】
ところで、残響音などの音を放射するスピーカとして、板状体及び板状体をその板厚方向に振動させる加振器を備えるパネルスピーカを用いることが考えられている。しかしながら、パネルスピーカでは、板状体の板厚方向に伝わる音の強度が、板状体の面方向（板厚方向に直交する方向）に伝わる音の強度よりも高い、すなわち、板状体から放射される音の指向性が強い。このため、板状体が音源の位置として特定されやすく、音場において自然な響きとなるような残響を得ることが難しい。
【０００５】
本発明は、上述した事情に鑑みてなされたものであって、残響音などの音を放射するスピーカとして板状体を用いても、板状体が音源の位置として特定され難く、音場において自然な響きとなるような残響を得られる残響支援装置を提供することを目的とする。
【課題を解決するための手段】
【０００６】
上記課題を解決するために、本発明の残響支援装置は、内部に空洞を有する板状に形成され、同一の平坦面をなすように、かつ、互いの振動が伝わらないように配された第一パネル及び第二パネルを有する板状体と、前記第一パネル及び前記第二パネルにそれぞれ設けられ、前記第一パネルと前記第二パネルとを互いに逆位相の信号で前記板状体の板厚方向に振動させる二つの加振器と、を備え、前記第一パネル及び前記第二パネルは、相対的に、前記第一パネル及び前記第二パネルのそれぞれから前記板厚方向に伝わる音同士が互いに干渉して弱められる位置に配されている。
【発明の効果】
【０００７】
本発明によれば、第一パネルと第二パネルとの間において、板厚方向に振動する第一パネル及び第二パネルからそれぞれ放射される音同士が干渉することで、板状体の板厚方向に放射される音の強度を低下させることができる。これにより、板状体の板厚方向に放射される音の強度と比較して、板状体の面方向（板厚方向に直交する方向）に伝わる音の強度が高くすることができる。したがって、残響音などの音を放射するスピーカとして板状体を用いても、音源となる板状体の位置が特定されにくくなり、音場において自然な響きとなるような残響を得ることができる。
【図面の簡単な説明】
【０００８】
【図１】本発明の第一実施形態に係る残響支援装置を示す正面図である。
【図２】図１のII−II矢視断面図である。
【図３】図１，２の残響支援装置から放射される残響音（音）の伝わりを模式的に示す図である。
【図４】本発明の第二実施形態に係る残響支援装置を示す断面図である。
【図５】本発明の他の実施形態に係る残響支援装置を示す正面図である。
【図６】本発明の他の実施形態に係る残響支援装置を示す正面図である。
【発明を実施するための形態】
【０００９】
〔第一実施形態〕
以下、図１−３を参照して本発明の第一実施形態について説明する。
図１，２に示すように、本実施形態に係る残響支援装置１は、板状体２と、加振器３と、を備える。
【００１０】
板状体２は、内部に空洞１１を有する板状に形成されている。板状体２は、同一の平坦面をなすように、かつ、互いの振動が伝わらないように配された板状の第一パネル４及び第二パネル５を有する。
本実施形態において、第一パネル４及び第二パネル５は、互いに間隔をあけて配される個別のパネルである。また、第一パネル４と第二パネル５との隙間は、振動の伝達を防ぐ振動絶縁部材６によって埋められている。
以下、本実施形態の板状体２の構成について、より具体的に説明する。
【００１１】
本実施形態において、各パネル４，５は、内部に空洞１１を有する板状に形成されている。各パネル４，５の板厚方向（Ｚ軸方向）から見た正面視で、各パネル４，５は任意の形状に形成されてよいが、本実施形態では、矩形状に形成されている。各パネル４，５には、空洞１１を外部空間に連通させる開口部１２が形成されている。
【００１２】
本実施形態において、各パネル４，５は、複数（図示例では三つ）の空洞１１を有する。各空洞１１は、板状体２の板厚方向に直交する第一直交方向（Ｙ軸方向）に延びている。第一直交方向における空洞１１の長さは、例えば複数の空洞１１の間で互いに異なっていてもよいが、本実施形態では複数の空洞１１の間で互いに等しい。また、第一直交方向における空洞１１の長さは、第一パネル４と第二パネル５との間で、互いに異なっていてもよいが、本実施形態では互いに等しい。複数の空洞１１は、各パネル４，５の板厚方向及び第一直交方向に直交する第二直交方向（Ｘ軸方向）に配列されている。
本実施形態の各パネル４，５は、正面視で第一直交方向を長辺、第二直交方向を短辺とする長方形状に形成されている。正面視した形状及び大きさは、第一パネル４と第二パネル５とで互いに等しい。
【００１３】
各パネル４，５において、複数の空洞１１は、各パネル４，５の板厚方向に配列された二つの平板壁部１３，１４と、二つの平板壁部１３，１４の間において第二直交方向に間隔をあけて配列され、二つの平板壁部１３，１４を連結する複数（図示例では四つ）の連結壁部１５と、によって形成されている。複数の連結壁部１５は、例えば不等間隔で配列されてもよいが、本実施形態では等間隔で配列されている。すなわち、第二直交方向における空洞１１の幅寸法は、複数の空洞１１の間で互いに等しい。
各パネル４，５を構成する二つの平板壁部１３，１４及び複数の連結壁部１５は、例えば別個に形成した上で、接着等によって互いに固定されてもよいし、例えば全て一体に形成されてもよい。本実施形態においては、一方の平板壁部１３（第一平板壁部１３）だけが別個に形成され、他方の平板壁部１４（第二平板壁部１４）及び複数の連結壁部１５が一体に形成されている。
【００１４】
各パネル４，５の開口部１２は、例えば空洞１１の長手方向（第一直交方向）の一端又は両端に形成されてもよいが、本実施形態では板厚方向に向く各パネル４，５の第一端面４ａ，５ａをなす第一平板壁部１３に形成されている。本実施形態では、空洞１１の長手方向の両端が閉塞壁部１６によって塞がれている。
各空洞１１は、一つ又は二つの開口部１２によって外部空間に連通している。同一の空洞１１に対して形成される二つの開口部１２は、空洞１１の長手方向において互いに間隔をあけた位置に配されている。開口部１２は、例えば複数の空洞１１の間で空洞１１の長手方向において互いに異なる位置に形成されるとよい。
【００１５】
以上のように構成される各パネル４，５は、特開２０１０−０８４５０９号公報にも記載されているように、壁に囲まれた音響空間において、平行対面する壁面間で音が繰り返し反射することによりブーミングやフラッターエコーなどの音響障害の発生を抑制又は防止する機能を有する。
具体的に説明すれば、音響空間内において発生した音は、各々のパネル４，５の各開口部１２を介して各空洞１１に入射する。空洞１１に入射した音は空洞１１の共鳴周波数に応じて共鳴し、定在波を発生させる。各空洞１１で発生した定在波の音響エネルギーは各空洞１１に対応する開口部１２から音響空間に向けて放射される。そして、この共鳴現象に起因する吸音効果と散乱効果により、音響空間内における音響障害の発生が防止される。
【００１６】
第一パネル４と第二パネル５とは、例えば第一直交方向に並べて配されてもよいが、本実施形態では第二直交方向に並べて配されている。この状態において、第一パネル４及び第二パネル５からなる板状体２は、正面視で長方形状に形成されている。また、第一パネル４及び第二パネル５の第一端面４ａ，５ａ、並びに、第二平板壁部１４からなり第一端面４ａ，５ａと反対側に向く第一パネル４及び第二パネル５の第二端面４ｂ，５ｂは、それぞれ同一の平坦面をなしている。
【００１７】
第一パネル４及び第二パネル５は、これらの間（隙間）に設けられる振動絶縁部材６を介して一体に固定されている。振動絶縁部材６は、例えばゴムやウレタン、ゴム系接着剤等のように弾性変形可能で振動エネルギーを吸収する特性を有する材料によって構成されてよい。
また、振動絶縁部材６は、例えば振動の波がパネル４，５と振動絶縁部材６との界面において反射するように、第一パネル４及び第二パネル５と密度が異なる材料によって構成されてもよい。例えば、パネル４，５及び振動絶縁部材６の一方が木材や金属等のように密度が高い材料によって構成され、パネル４，５及び振動絶縁部材６の他方が発泡スチロールのように密度が低い材料によって構成されてもよい。
【００１８】
加振器３は、第一パネル４及び第二パネル５にそれぞれ設けられている。各加振器３は、例えばボイスコイル型のアクチュエータであってよい。二つの加振器３は、第一パネル４と第二パネル５とを互いに逆位相の信号で板状体２の板厚方向に振動させる。これにより、第一パネル４及び第二パネル５から互いに逆位相の残響音を放射させる。
【００１９】
本実施形態において、各加振器３は、正面視した各パネル４，５の中央領域（対角線の中央）に取り付けられている。各パネル４，５の中央領域は、パネル４，５の振動モードにおける振動の腹に相当するため、加振器３からパネル４，５への振動の伝達効率を高めることができる。これにより、加振器３の駆動力が小さくても、各パネル４，５から放音される残響音の音量を大きくすることができる。
【００２０】
各加振器３は、板厚方向に向く各パネル４，５の第一端面４ａ，５ａ（第一平板壁部１３）及び第一端面４ａ，５ａと反対側に向く各パネル４，５の第二端面４ｂ，５ｂ（第二平板壁部１４）のいずれに取り付けられてもよい。本実施形態では、各パネル４，５の第一端面４ａ，５ａに取り付けられている。
このように各加振器３が各パネル４，５に設けられることで、各パネル４，５を板厚方向に振動させて、各パネル４，５から残響音を放射させることができる。
【００２１】
さらに、本実施形態の残響支援装置１は、第一パネル４及び第二パネル５から互いに逆位相の残響音が放射されるように二つの加振器３の駆動を制御する構成として、信号取得部、信号処理部及び駆動制御部（いずれも不図示）を備える。
【００２２】
信号取得部は、音源から発生する音信号または振動信号、あるいはその両方を取得する。
音信号には、例えば、楽器、スピーカおよび人などが放音した音を表す信号、日常や自然界で発生する音を表す信号の他、電子楽器の出力端子から出力される楽音信号、オーディオ装置、携帯音楽プレーヤなどの楽音再生装置の出力端子から出力される楽音信号、各パネル４，５から放射された残響音が含まれてよい。また、振動信号には、弦楽器の弦の振動やドラムの振動など、楽器等の振動を表す信号が含まれてよい。
【００２３】
信号取得部には、例えば、音信号を収音するマイク、振動信号を検出する圧電素子などのピックアップ、各種機器に設けられて音信号や振動信号を出力するための出力端子に接続されるコネクタ（入力端子）などが含まれてよい。
信号取得部は、音信号や振動信号を電気信号として信号処理部に出力する。
【００２４】
信号処理部は、信号取得部が取得した信号（電気信号）に対して所定の信号処理を施す。信号処理部における所定の信号処理には、信号取得部が取得した信号に基づいて残響音信号（残響音に対応する信号）を生成する処理が含まれる。また、信号処理部における所定の信号処理には、残響音の残響時間を設定する処理が含まれてもよい。この場合、信号処理部は、例えば、残響音の残響時間を調節する機能（残響時間調節機能）を有してもよい。また、信号処理部における所定の信号処理には、生成された残響音信号を増幅する処理が含まれてよい。この場合、信号処理部は、残響音信号の増幅率を調節する機能（増幅機能）を有してもよい。信号処理部は、上記のように生成した残響音信号を駆動制御部に出力する。
信号処理部では、例えば、上記したような信号処理を行わずに、信号取得部が取得した信号（電気信号）をそのまま駆動制御部に出力するバイパス処理を行ってもよい。
【００２５】
駆動制御部は、信号処理部から出力された信号（例えば残響音信号）に応じて二つの加振器３を駆動する。駆動制御部は、二つの加振器３を互いに逆位相で駆動する信号（駆動信号）を二つの加振器３に出力する。
これら信号取得部、信号処理部及び駆動制御部は、例えば二つの加振器３と共に板状体２に取り付けられてもよいし、例えば板状体２から離れた位置に配されてもよい。駆動制御部と二つの加振器３とは、例えば電気配線によって接続されてもよい。この場合、駆動制御部と二つの加振器３とは、例えばコネクタ等によって互いに着脱可能に接続されてもよい。
【００２６】
各加振器３は、駆動制御部から出力された駆動信号に基づいて、第一パネル４と第二パネル５とを互いに逆位相の信号で板状体２の板厚方向に振動させることができる。これにより、二つのパネル４，５から互いに逆位相の残響音を放射することができる。
【００２７】
そして、本実施形態の残響支援装置１では、第一パネル４及び第二パネル５が、互いに音響的に弱音化可能な位置に配されている。弱音化可能な位置とは、第一パネル４及び第二パネル５のそれぞれから板状体２の板厚方向に伝わる二つの残響音同士が互いに干渉して弱められるような、第一パネル４及び第二パネル５の相対的な位置（二つの加振器３の相対的な位置）を意味する。
【００２８】
以下、音響的に弱音化可能とする第一パネル４及び第二パネル５の配置について具体的に説明する。
本実施形態において、正面視における各パネル４，５の中央領域は、加振器３が取り付けられる位置であり、点音源と見なすことができる。また、二つのパネル４，５はそれぞれ加振器３によって互いに逆位相で板厚方向に振動する。このため、二つの点音源をなす二つのパネル４，５の中央領域によって正負二重音源（ダイポール音源）が構成されるように、二つのパネル４，５の中央領域間の距離ｄ（二つの加振器３間の距離ｄ）を設定すればよい、すなわち第一パネル４及び第二パネル５の相対的な位置を設定すればよい。これにより、第一パネル４及び第二パネル５のそれぞれから板状体２の板厚方向に伝わる二つの残響音同士を、互いに干渉させて弱めることができる。
【００２９】
さらに具体的に説明すれば、例えば、弱音化させたい残響音の周波数が１ｋＨｚである場合には、二つのパネル４，５の中央領域間の距離ｄが３０ｃｍとなるように、二つのパネル４，５の相対的な位置を設定すればよい。実際には、距離ｄを３０ｃｍよりも短く設定するとよい。また、弱音化させたい残響音の周波数が２ｋＨｚである場合、二つのパネル４，５の中央領域間の距離ｄが１５ｃｍとなるように、二つのパネル４，５の相対的な位置を設定すればよい。実際には、距離ｄを１５ｃｍよりも短く設定するとよい。
【００３０】
また、二つのパネル４，５の中央領域間の距離ｄを設定するためには、例えば正面視した二つのパネル４，５の大きさ（特に第二直交方向における各パネル４，５の寸法）を適切に設定してもよいし、例えば二つのパネル４，５の間に配される振動絶縁部材６の大きさ（特に第二直交方向における振動絶縁部材６の寸法）を適切に設定してもよい。
【００３１】
以上のように構成される本実施形態の残響支援装置１では、第一パネル４と第二パネル５との間において、第一パネル４及び第二パネル５からそれぞれ放射される残響音同士が干渉することで、図３に例示するように、板状体２の板厚方向（図３において上下方向）に放射される残響音の強度を低下させることができる。これにより、板状体２の板厚方向に放射される残響音の強度と比較して、板状体２の面方向（板厚方向に直交する方向；図３において左右方向）に伝わる残響音の強度が高くすることができる。図３では、板状体２から放射される残響音の強度分布を曲線Ｓｄで模式的に示している。したがって、残響音を放射するスピーカとして板状体２を用いても、音源となる板状体２の位置が特定されにくくなり、音場において自然な響きとなるような残響を得ることができる。
【００３２】
例えば図３に示すように、板状体２の板厚方向が残響音を聞かせる聴者Ｌに向くように、本実施形態の残響支援装置１（板状体２）を部屋Ｒの壁に対して隙間なく配置した場合を考える。この場合、板状体２から放射される残響音のうち、板状体２から板状体２の板厚方向に伝わって聴者Ｌに直接到達する直接音ＤＳの大きさと、板状体２から板状体２の面方向に伝わり部屋Ｒの壁に反射した上で聴者Ｌに到達する反射音ＲＳの大きさとの差を小さくすることができる。これにより、聴者Ｌは、音場である部屋Ｒにおいて周囲からの残響を感じやすくなる、すなわち、部屋Ｒにおいて自然な響きとなる残響を感じ取ることができる。
【００３３】
また、上記のことから、本実施形態の残響支援装置１によれば、音場の環境（例えば部屋Ｒにおける壁の位置や向き）を考慮せず、板状体２の板厚方向が残響音を聞かせる聴者Ｌに向くように板状体２を配置するだけで、聴者Ｌは周囲からの残響を感じやすくなる。すなわち、従来のパネルスピーカと比較して、音場における板状体２のセッティングを容易に行うこともできる。
【００３４】
また、本実施形態の残響支援装置１では、板状体２が内部に空洞１１を有する板状に形成されている。このため、板状体２の板厚方向に向く板状体２の第一端面４ａ，５ａや第二端面４ｂ，５ｂだけではなく、第一端面４ａ，５ａや第二端面４ｂ，５ｂに直交する板状体２の側面からも残響音を放射できる。このため、従来のパネルスピーカのように板状体２が単なる薄板である場合と比較して、板状体２の板厚方向に放射される残響音の強度と、板状体２の面方向に伝わる残響音の強度との差を小さくすることができる。
【００３５】
また、板状体２が内部に空洞１１を有することで、板状体２から放射される残響音の周波数特性の凹凸を少なくすることもできる。すなわち、残響音の周波数特性のフラット化を図ることができる。したがって、残響支援装置１によって音響的フィードバックを行っても、ハウリングを抑えてより自然な音質の残響が残るように、残響音を調整することができる。具体的には、ハウリングを抑制できることで、板状体２から放射される残響音の音質、音量、残響の長さをより大きく変化させることが可能となる。これにより、より自然な音質の残響が得られるように残響音を調整できる。
【００３６】
また、本実施形態の残響支援装置１では、第一パネル４及び第二パネル５が、互いに間隔をあけて配される個別のパネルとなっている。このため、同様に構成されたパネルを二つ（複数）作成するだけで、音場において自然な響きとなるような残響を得ることが可能な残響支援装置１を簡単に構成することができる。
【００３７】
また、本実施形態の残響支援装置１では、個別のパネルで構成された第一パネル４と第二パネル５との隙間が、振動絶縁部材６によって埋められている。これにより、第一パネル４と第二パネル５とを近くに配置できるため、残響支援装置１をコンパクトに構成することができる。
【００３８】
第一実施形態の残響支援装置１において、各パネル４，５には、例えば一つの空洞１１だけが形成されてもよい。すなわち、各パネル４，５は二つの平板壁部１３，１４及び二つの連結壁部１５によって構成されてもよい。
【００３９】
〔第二実施形態〕
次に、図４を参照して本発明の第二実施形態について説明する。本実施形態の残響支援装置は、第一実施形態の残響支援装置１と比較して、主に板状体の構成が異なり、他の構成については同様である。本実施形態では、第一実施形態と同様の構成要素について同一符号を付す等して、その説明を省略する。
【００４０】
図４に示すように、本実施形態の残響支援装置１Ｃは、第一実施形態と同様に、内部に空洞１１を有する板状に形成され、同一の平坦面をなすように、かつ、互いの振動が伝わらないように配された第一パネル４Ｃ及び第二パネル５Ｃを有する板状体２Ｃを備える。
また、本実施形態の残響支援装置１Ｃは、第一実施形態と同様の二つの加振器３を備える。また、本実施形態の残響支援装置１Ｃは、第一実施形態と同様の信号取得部、信号処理部及び駆動制御部（いずれも不図示）を備える。
【００４１】
ただし、本実施形態の板状体２Ｃでは、第一パネル４Ｃ及び第二パネル５Ｃが、一つのパネル１０Ｃ（以下、単一パネル１０Ｃと呼ぶ。）によって構成されている。さらに、板状体２Ｃの板厚方向から見た正面視で、単一パネル１０Ｃのうち第一パネル４Ｃをなす第一領域１０４Ｃと第二パネル５Ｃをなす第二領域１０５Ｃとの境界には、第一領域１０４Ｃと第二領域１０５Ｃとの間での振動の伝達を防ぐ振動絶縁部材６が設けられている。
以下、本実施形態の板状体２Ｃの構成について、より具体的に説明する。
【００４２】
本実施形態において、単一パネル１０Ｃは、内部に空洞１１を有する板状に形成されている。単一パネル１０Ｃの正面視形状は、任意であってよいが、本実施形態では第一実施形態の板状体２Ｃと同様の矩形状（図１参照）に形成されている。単一パネル１０Ｃには、空洞１１を外部空間に連通させる開口部１２が形成されている。
【００４３】
本実施形態において、単一パネル１０Ｃは、複数（図示例では六つ）の空洞１１を有する。各空洞１１の形状及び複数の空洞１１の配列等は、第一実施形態の板状体２Ｃと同様である。すなわち、各空洞１１は、単一パネル１０Ｃの板厚方向（Ｚ軸方向）に直交する第一直交方向（Ｙ軸方向）に延びている。第一直交方向における空洞１１の長さは、複数の空洞１１の間で互いに等しい。複数の空洞１１は、単一パネル１０Ｃの板厚方向及び第一直交方向に直交する第二直交方向（Ｘ軸方向）に配列されている。単一パネル１０Ｃは、正面視で第一直交方向を長辺、第二直交方向を短辺とする長方形状に形成されている。
【００４４】
単一パネル１０Ｃにおいて、複数の空洞１１は、第一実施形態の場合と同様に、単一パネル１０Ｃの板厚方向に配列された二つの平板壁部１３Ｃ，１４と、二つの平板壁部１３Ｃ，１４の間において第二直交方向に間隔をあけて配列され、二つの平板壁部１３Ｃ，１４を連結する複数（図示例では四つ）の連結壁部１５と、によって形成されている。
単一パネル１０Ｃを構成する二つの平板壁部１３Ｃ，１４及び複数の連結壁部１５は、例えば別個に形成した上で、接着等によって互いに固定されてもよい。本実施形態においては、一方の平板壁部１３Ｃ（第一平板壁部１３Ｃ）だけが別個に形成され、他方の平板壁部１４（第二平板壁部１４）及び複数の連結壁部１５が一体に形成されている。
【００４５】
本実施形態において、単一パネル１０Ｃの開口部１２は、第一実施形態と同様に、板厚方向に向く単一パネル１０Ｃの第一端面１０Ｃａをなす第一平板壁部１３Ｃに形成されている。各空洞１１は、第一実施形態と同様に、一つ又は二つの開口部１２によって外部空間に連通している。
以上のように構成される単一パネル１０Ｃは、第一実施形態の各パネル４，５と同様に、壁に囲まれた音響空間において、ブーミングやフラッターエコーなどの音響障害の発生を抑制又は防止する機能を有する。
【００４６】
そして、本実施形態の単一パネル１０Ｃでは、第一平板壁部１３Ｃが、互いに間隔をあけて配された二枚の分割平板１８Ｃ，１９Ｃによって構成されている。正面視した二枚の分割平板１８Ｃ，１９Ｃの形状や大きさは、例えば互いに異なってもよいが、本実施形態では互いに等しい。また、二枚の分割平板１８Ｃ，１９Ｃは、例えば第一直交方向に並べて配されてもよいが、本実施形態では第二直交方向に並べて配されている。
【００４７】
二つの加振器３は、二枚の分割平板１８Ｃ，１９Ｃにそれぞれ設けられ、二枚の分割平板１８Ｃ，１９Ｃを互いに逆位相の信号で単一パネル１０Ｃの板厚方向に振動させる。これにより、二枚の分割平板１８Ｃ，１９Ｃから互いに逆位相の残響音を放射させることができる。各加振器３は、第一実施形態と同様に、正面視した各分割平板１８Ｃ，１９Ｃの中央領域（対角線の中央）に取り付けられている。
【００４８】
また、本実施形態の単一パネル１０Ｃは、二枚の分割平板１８Ｃ，１９Ｃの間で振動が伝わることを防ぐように構成されている。すなわち、本実施形態の単一パネル１０Ｃでは、二枚の分割平板１８Ｃ，１９Ｃの間に振動絶縁部材６が設けられている。また、本実施形態の単一パネル１０Ｃでは、二枚の分割平板１８Ｃ，１９Ｃの間で第二平板壁部１４及び連結壁部１５を通る振動の伝達経路にも、振動絶縁部材６が設けられている。振動伝達経路に設けられる振動絶縁部材６は、例えば第二平板壁部１４と各連結壁部１５との間に配されてもよいが、本実施形態では第一平板壁部１３Ｃと各連結壁部１５との間に配されている。
本実施形態における振動絶縁部材６の材料は、第一実施形態と同様であってよい。
【００４９】
以上のように構成される本実施形態の単一パネル１０Ｃでは、一方の分割平板１８Ｃ（第一分割平板１８Ｃ）が、第一パネル４Ｃをなす単一パネル１０Ｃの第一領域１０４Ｃを構成する。同様にして、他方の分割平板１９Ｃ（第二分割平板１９Ｃ）が、第二パネル５Ｃをなす単一パネル１０Ｃの第二領域１０５Ｃを構成する。また、第一分割平板１８Ｃ、並びに、第一分割平板１８Ｃと板厚方向に重なる連結壁部１５及び第二平板壁部１４の部位が、第一パネル４Ｃとして構成される。同様にして、第二分割平板１９Ｃ、並びに、第二分割平板１９Ｃと板厚方向に重なる連結壁部１５及び第二平板壁部１４の部位が、第二パネル５Ｃとして構成される。
【００５０】
そして、本実施形態では、第一パネル４Ｃ及び第二パネル５Ｃを各々構成する二つの分割平板１８Ｃ，１９Ｃが、第一実施形態の場合と同様に、互いに音響的に弱音化可能な位置に配されている。具体的には、二つの点音源をなす二つの分割平板１８Ｃ，１９Ｃの中央領域によって正負二重音源（ダイポール音源）が構成されるように、二つの分割平板１８Ｃ，１９Ｃの相対的な位置が設定されている。
【００５１】
本実施形態の残響支援装置１Ｃによれば、第一実施形態と同様の効果を奏する。
また、本実施形態の残響支援装置１Ｃによれば、第一パネル４Ｃ及び第二パネル５Ｃが単一パネル１０Ｃで構成され、第一パネル４Ｃをなす第一領域１０４Ｃ（第一分割平板１８Ｃ）と第二パネル５Ｃをなす第二領域１０５Ｃ（第二分割平板１９Ｃ）との境界に、第一領域１０４Ｃと第二領域１０５Ｃとの間で振動の伝達を防ぐ振動絶縁部材６が設けられている。このため、単一パネル１０Ｃだけで、音場において自然な響きとなるような残響を得ることができる。
【００５２】
第二実施形態の残響支援装置１Ｃにおいて、単一パネル１０Ｃには、例えば一つの空洞１１だけが形成されてもよい。すなわち、単一パネル１０Ｃは二つの平板壁部１３Ｃ，１４及び二つの連結壁部１５によって構成されてもよい。
【００５３】
以上、本発明について詳細に説明したが、本発明は上記実施形態に限定されるものではなく、本発明の趣旨を逸脱しない範囲において種々の変更を加えることが可能である。
【００５４】
本発明の残響支援装置において、板状体は、互いに逆位相で振動する第一パネル及び第二パネルを少なくとも一つずつ有していればよい。すなわち、例えば図５，６に示すように、板状体２Ｄ，２Ｅは、第一パネル４Ｄ，４Ｅ及び／又は第二パネル５Ｄ，５Ｅを複数有してもよい。
【００５５】
図５に例示する残響支援装置１Ｄでは、板厚方向から見た正面視で、第一パネル４Ｄと第二パネル５Ｄとが、第一直交方向（縦方向）及び第二直交方向（横方向）に交互に配列されている。言い換えれば、第一パネル４Ｄ及び第二パネル５Ｄが、第一直交方向（縦方向）及び第二直交方向（横方向）のそれぞれにおいて互い違いに配列されている。
図６に例示する残響支援装置１Ｅでは、板厚方向から見た正面視で、第一パネル４Ｅを囲むように複数（図示例では九つ）の第二パネル５Ｅが配されている。
【００５６】
図５−６に例示した構成では、隣り合う第一パネル４Ｄ，４Ｅ及び第二パネル５Ｄ，５Ｅからなるユニットが複数あることで、各ユニットにおいて板厚方向に放射される残響音の強度を低下させることができる。すなわち、板状体２Ｄ，２Ｅ全体では、板状体２Ｄ，２Ｅの板厚方向に放射される残響音の強度を大きく低下させることができる。これにより、板状体２Ｄ，２Ｅの面方向（板厚方向に直交する方向）に伝わる残響音の強度を、板状体２Ｄ，２Ｅの板厚方向に放射される残響音の強度よりも、さらに高くすることができる。また、第一パネル４Ｄ，４Ｅと第二パネル５Ｄ，５Ｅとが板厚方向に直交する様々な方向に配列されることで、板状体２Ｄ，２Ｅの面方向（板厚方向に直交する様々な方向）に伝わる残響音の強度を高めることもできる。したがって、音源となる板状体２Ｄ，２Ｅの位置がさらに特定されにくくなり、音場においてより自然な響きとなるような残響を得ることができる。
【００５７】
また、隣り合う第一パネル４Ｄ，４Ｅ及び第二パネル５Ｄ，５Ｅからなるユニットが複数ある場合には、隣り合う第一パネル４Ｄ，４Ｅ及び第二パネル５Ｄ，５Ｅの中央領域の相対的な位置をユニットごとに適宜設定することで、板状体２Ｄ，２Ｅから放射される複数の周波数の残響音について、板厚方向に放射される残響音の強度を低下させることも可能となる。言い換えれば、広い周波数帯域で板厚方向に放射される残響音の強度を低下させることができる。
【００５８】
本発明の残響支援装置においては、例えば、二つのパネル（第一パネル、第二パネル）を上記実施形態のように並べて配置すると共に、二つのパネルを別個の加振器により互いに逆位相とはならない位相で振動させるだけでもよい。すなわち、二つのパネルを逆位相で振動させたり、二つのパネルの中央領域間の距離ｄ（図２参照）を適切に設定しなくてもよい。
このような構成であっても、上記実施形態と同様の効果を奏し得る。例えば、二つのパネルから板状体の板厚方向に放射される二つの残響音の位相が同じであっても、これら二つの残響音が残響支援装置から聴者の耳に届くまでの間に、二つの残響音の位相が互いにずれていくことがある。この場合、板状体の板厚方向に放射される二つの残響音が互いに干渉して弱まる。すなわち、板状体の板厚方向に放射される残響音の強度を低下させることができる。
【００５９】
また、本発明の残響支援装置において、二つのパネルが個別の加振器により振動することで二つのパネルからそれぞれ放射される音は、音場における残響を考慮した残響音のみに限らず、例えば、音場における残響を考慮していない音や、このような音と残響音とを組み合わせた音であってもよい。すなわち、本発明の残響支援装置では、少なくとも二つのパネルのそれぞれから板状体の板厚方向に伝わる音同士が互いに干渉して弱められればよい。
【符号の説明】
【００６０】
１，１Ｃ，１Ｄ，１Ｅ…残響支援装置、２，２Ｃ，２Ｄ，２Ｅ…板状体、３…加振器、４，４Ｃ，４Ｄ，４Ｅ…第一パネル、５，５Ｃ，５Ｄ，５Ｅ…第二パネル、６…振動絶縁部材、１０Ｃ…単一パネル、１１…空洞、１２…開口部、１３Ｃ…第一平板壁部、１８Ｃ…第一分割平板、１９Ｃ…第二分割平板、１０４Ｃ…第一領域、１０５Ｃ…第二領域
【図１】
2018146927.tif 000003
【図２】
2018146927.tif 000004
【図３】
2018146927.tif 000005
【図４】
2018146927.tif 000006
【図５】
2018146927.tif 000007
【図６】
2018146927.tif 000008